(57)【特許請求の範囲】
【請求項１】
原稿に照射した光の反射光を受光して光電変換することで原稿を読取る原稿読取装置であって、
原稿が載置される載置面と平行な第１方向に沿って走行可能に設けられるとともに、前記載置面と平行でかつ前記第１方向と直交する第２方向に沿って延在するキャリッジと、
前記キャリッジに組付けられ、前記第１方向と平行でかつ前記第２方向と直交する実装面を有する配線基板と、
前記実装面上に実装され、原稿に照射するための光を出射する光源と、
前記実装面上に実装され、前記光源に電気的に接続されたコネクタと、
前記光源に前記コネクタを介して電力を供給するための電源部と、
前記コネクタに一端が接続され、前記コネクタと前記電源部とを電気的に接続する、厚み方向における寸法が薄く形成された長尺帯状の可撓性配線部材とを備え、
前記可撓性配線部材は、前記第１方向に沿って曲げ返されることで形成された弛緩部を有し、
前記可撓性配線部材の前記一端は、前記第２方向に沿って前記コネクタに挿入されることで前記コネクタに接続され、
前記コネクタに接続された前記一端と前記弛緩部との間の部分において前記可撓性配線部材に折り曲げ部が形成されることにより、前記可撓性配線部材の前記弛緩部に該当する部分における前記厚み方向が、前記キャリッジの前記第１方向に沿った走行によっても常に前記第２方向と略直交する方向を向くように構成されている、原稿読取装置。
【請求項２】
前記キャリッジが、前記可撓性配線部材が挿通されることで前記可撓性配線部材を案内するガイド部を有している、請求項１に記載の原稿読取装置。
【請求項３】
前記折り曲げ部が、前記コネクタに接続された前記一端と前記ガイド部に挿通された部分との間にのみ位置している、請求項２に記載の原稿読取装置。
【請求項４】
前記可撓性配線部材が挿入される前記コネクタの開口部が、前記第１方向に沿って延在しており、
前記可撓性配線部材に設けられた折り目を境いに前記可撓性配線部材同士が平面視略直角三角形状に重なることで前記可撓性配線部材の延在方向が略９０°向きを変える部分が、前記折り曲げ部に少なくとも１つ以上含まれている、請求項１から３のいずれかに記載の原稿読取装置。
【請求項５】
前記可撓性配線部材が挿入される前記コネクタの開口部が、前記第１方向および前記第２方向のいずれにも直交する第３方向に沿って延在しており、
前記可撓性配線部材に設けられた折り目を境いに前記可撓性配線部材同士が平面視略直角三角形状に重なることで前記可撓性配線部材の延在方向が略９０°向きを変える部分と、前記可撓性配線部材に設けられた折り目を境いに前記可撓性配線部材同士が重なることなく屈曲することで前記可撓性配線部材の延在方向が略９０°向きを変える部分とが、前記折り曲げ部にそれぞれ少なくとも１つ以上含まれている、請求項１から３のいずれかに記載の原稿読取装置。
【請求項６】
前記配線基板が、前記キャリッジの前記第２方向における一端部に組付けられ、
前記実装面が、前記キャリッジの前記第２方向における他端部側を向いており、
前記キャリッジの前記他端部から前記弛緩部までの前記第２方向における距離が、前記キャリッジの前記他端部から前記折り曲げ部までの前記第２方向における最短距離よりも長い、請求項１から５のいずれかに記載の原稿読取装置。
【請求項７】
前記キャリッジに設けられ、原稿からの反射光を反射する第１反射ミラーと、
前記第１反射ミラーからの反射光を反射する第２反射ミラーおよび前記第２反射ミラーからの反射光を反射する第３反射ミラーが設けられ、かつ、前記第１方向に沿って走行可能に設けられるとともに前記第２方向に沿って延在するミラーユニットと、
前記第３反射ミラーからの反射光を受光して光電変換する撮像素子と、
前記第３反射ミラーからの反射光を前記撮像素子上に結像する結像レンズ系とをさらに備えた、請求項１から６のいずれかに記載の原稿読取装置。
【請求項８】
前記可撓性配線部材が、フレキシブルフラットケーブルである、請求項１から７のいずれかに記載の原稿読取装置。
【発明の詳細な説明】
【技術分野】
【０００１】
本発明は、原稿に照射した光の反射光を受光して光電変換することで原稿を読取る原稿読取装置に関し、特に、光源が搭載されたキャリッジを備えてなる原稿読取装置に関する。
【背景技術】
【０００２】
従来、文書や図、写真等の原稿を電子化したり複写したりする際に用いられる機器として、原稿読取装置（イメージスキャナ）が普及している。一般に、原稿読取装置は、密着型等倍光学系を利用したものと縮小光学系を利用したものとに分類され、このうちの縮小光学系を利用した原稿読取装置においては、いわゆるミラースキャン方式およびユニットスキャン方式のいずれかの原稿読取方式が採用されている。
【０００３】
ミラースキャン方式およびユニットスキャン方式は、いずれも所定方向に沿って走行可能なキャリッジを有している点において共通するものであるが、ミラースキャン方式では２つのキャリッジが利用され、ユニットスキャン方式では１つのキャリッジのみが利用される。
【０００４】
すなわち、原稿の読取りには、光源、光源からの光を原稿に向けて反射させる反射板、原稿からの反射光を複数回にわたって反射させる複数の反射ミラー、原稿からの反射光を受光して光電変換する撮像素子、原稿からの反射光を撮像素子上において結像する結像レンズ系等の光学系が必要になるが、これら各種の光学系を１つのキャリッジにすべて搭載したものがユニットスキャン方式であり、複数の反射ミラーのうちの一部を別のキャリッジに搭載したものがミラースキャン方式である。
【０００５】
この種の走行可能なキャリッジを具備した原稿読取装置においては、キャリッジに搭載された光源に対して電源を供給する電源部（電源回路等）が、キャリッジの外部である原稿読取装置の本体に設置される場合が多い。この場合、光源と電源部との電気的な接続は、原稿読取装置の内部の這い回しの容易さから、フレキシブルフラットケーブル（ＦＦＣ：Flexible Flat Cable）やフレキシブルプリント基板（ＦＰＣ：Flexible Printed Circuit）等の可撓性配線部材が用いられる。
【０００６】
ここで、光源と電源部との接続にＦＦＣが利用された原稿読取装置が具体的に開示された文献としては、たとえば特開２００３−８７５１８号公報（特許文献１）等があり、光源と電源部との接続にＦＰＣが利用された原稿読取装置が具体的に開示された文献としては、たとえば特開２００７−１７９０１４号公報（特許文献２）等がある。
【先行技術文献】
【特許文献】
【０００７】
【特許文献１】特開２００３−８７５１８号公報
【特許文献２】特開２００７−１７９０１４号公報
【発明の概要】
【発明が解決しようとする課題】
【０００８】
近年、上述した光源としてＬＥＤ（Light-Emitting Diode）を利用した原稿読取装置が普及しつつある。ＬＥＤを光源として利用する場合には、キャリッジの長手方向に沿って複数のＬＥＤを並べて配置するアレイ方式か、キャリッジの長手方向に沿って延在するように導光部材を配置して当該導光部材の一端部にＬＥＤを配置するライトガイド方式か、のいずれかが採用されることになる。
【０００９】
ここで、後者のライトガイド方式を採用した場合には、ＬＥＤが実装された配線基板に設けられたコネクタと可撓性配線部材との接続をどのように確保するかが問題となる。すなわち、ライトガイド方式を採用した場合には、その実装面がキャリッジの長手方向を向くように配線基板がキャリッジに組付けられることになるため、可撓性配線部材の這い回し方向とコネクタに対する可撓性配線部材の挿入方向とが一致しなくなってしまう。そのため、この点を何ら改善しなかった場合には可撓性配線部材の挙動が安定せず、可撓性配線部材がキャリッジの走行を阻害したり、可撓性配線部材が照明光や反射光を遮ったりするおそれが生じてしまう。
【００１０】
これを解決する方法としては、可撓性配線部材の一端に中継基板を接続し、当該中継基板と配線基板とをリード線等を用いて接続する方法や、コネクタに設けられる可撓性配線部材の接続用の開口部の向きを変更し、コネクタに対する可撓性配線部材の挿入方向と可撓性配線部材の這い回し方向とを合致させる方法、可撓性配線部材を案内するガイド部をキャリッジに複数設けて可撓性配線部材の向きを安定的に変化させる方法等、種々の方法が想定される。
【００１１】
しかしながら、これら解決方法を採用した場合には、部品点数の増加や組立て作業の煩雑化に伴う製造コストの増大、光源と電源部との電気的な接続の信頼性の低下（すなわち接続不良の発生）、コネクタと可撓性配線部材とを接続するために要する空間の大型化（すなわち装置の大型化）等、種々の問題が別途発生してしまうことになる。
【００１２】
したがって、本発明は、上述した問題を解決すべくなされたものであり、キャリッジの走行や原稿の読取りが阻害されることなく安価にかつ小型に構成が可能な原稿読取装置を提供することを目的とする。
【課題を解決するための手段】
【００１３】
本発明に基づく原稿読取装置は、原稿に照射した光の反射光を受光して光電変換することで原稿を読取るものであって、キャリッジと、配線基板と、光源と、コネクタと、電源部と、可撓性配線部材とを備えている。上記キャリッジは、原稿が載置される載置面と平行な第１方向に沿って走行可能に設けられているとともに、上記載置面と平行でかつ上記第１方向と直交する第２方向に沿って延在している。上記配線基板は、上記キャリッジに組付けられており、上記第１方向と平行でかつ上記第２方向と直交する実装面を有している。上記光源は、上記実装面上に実装されており、原稿に照射するための光を出射するものである。上記コネクタは、上記実装面上に実装されており、上記光源に電気的に接続されている。上記電源部は、上記光源に上記コネクタを介して電力を供給するためのものである。上記可撓性配線部材は、上記コネクタと上記電源部とを電気的に接続するものであり、上記コネクタに一端が接続されている。上記可撓性配線部材は、厚み方向における寸法が薄く形成された長尺帯状の部材からなり、上記第１方向に沿って曲げ返されることで形成された弛緩部を有している。上記可撓性配線部材の上記一端は、上記第２方向に沿って上記コネクタに挿入されることで上記コネクタに接続されている。上記本発明に基づく原稿読取装置にあっては、上記コネクタに接続された上記一端と上記弛緩部との間の部分において上記可撓性配線部材に折り曲げ部が形成されることにより、上記可撓性配線部材の上記弛緩部に該当する部分における上記厚み方向が、上記キャリッジの上記第１方向に沿った走行によっても常に上記第２方向と略直交する方向を向くように構成されている。
【００１４】
上記本発明に基づく原稿読取装置にあっては、上記キャリッジが、上記可撓性配線部材が挿通されることで上記可撓性配線部材を案内するガイド部を有していてもよい。
【００１５】
上記本発明に基づく原稿読取装置にあっては、上記折り曲げ部が、上記コネクタに接続された上記一端と上記ガイド部に挿通された部分との間にのみ位置していることが好ましい。
【００１６】
上記本発明に基づく原稿読取装置にあっては、上記可撓性配線部材が挿入される上記コネクタの開口部が、上記第１方向に沿って延在していてもよく、その場合には、上記可撓性配線部材に設けられた折り目を境いに上記可撓性配線部材同士が平面視略直角三角形状に重なることで上記可撓性配線部材の延在方向が略９０°向きを変える部分が、上記折り曲げ部に少なくとも１つ以上含まれていることが好ましい。
【００１７】
上記本発明に基づく原稿読取装置にあっては、上記可撓性配線部材が挿入される上記コネクタの開口部が、上記第１方向および上記第２方向のいずれにも直交する第３方向に沿って延在していてもよく、その場合には、上記可撓性配線部材に設けられた折り目を境いに上記可撓性配線部材同士が平面視略直角三角形状に重なることで上記可撓性配線部材の延在方向が略９０°向きを変える部分と、上記可撓性配線部材に設けられた折り目を境いに上記可撓性配線部材同士が重なることなく屈曲することで上記可撓性配線部材の延在方向が略９０°向きを変える部分とが、上記折り曲げ部にそれぞれ少なくとも１つ以上含まれていることが好ましい。
【００１８】
上記本発明に基づく原稿読取装置にあっては、上記配線基板が、上記キャリッジの上記第２方向における一端部に組付けられていてもよく、その場合には、上記実装面が、上記キャリッジの上記第２方向における他端部側を向いていることが好ましい。さらにその場合、上記キャリッジの上記他端部から上記弛緩部までの上記第２方向における距離が、上記キャリッジの上記他端部から上記折り曲げ部までの上記第２方向における最短距離よりも長いことが好ましい。
【００１９】
上記本発明に基づく原稿読取装置は、上記キャリッジに設けられ、原稿からの反射光を反射する第１反射ミラーと、上記第１反射ミラーからの反射光を反射する第２反射ミラーおよび上記第２反射ミラーからの反射光を反射する第３反射ミラーが設けられ、かつ、上記第１方向に沿って走行可能に設けられるとともに上記第２方向に沿って延在するミラーユニットと、上記第３反射ミラーからの反射光を受光して光電変換する撮像素子と、上記第３反射ミラーからの反射光を上記撮像素子上に結像する結像レンズ系とをさらに備えていてもよい。
【００２０】
上記本発明に基づく原稿読取装置にあっては、上記可撓性配線部材が、フレキシブルフラットケーブルであることが好ましい。
【発明の効果】
【００２１】
本発明によれば、キャリッジの走行や原稿の読取りが阻害されることなく安価にかつ小型に構成が可能な原稿読取装置とすることができる。
【図面の簡単な説明】
【００２２】
【図１】本発明の実施の形態における原稿読取装置の概略図である。
【図２】本発明の実施の形態における原稿読取装置の模式平面図である。
【図３】本発明の実施の形態における原稿読取装置の第１キャリッジに各種の構成部品が組付けられた状態を示す斜視図である。
【図４】本発明の実施の形態における原稿読取装置の第１キャリッジの斜視図である。
【図５】本発明の実施の形態における原稿読取装置の第１キャリッジの第１摺動端部近傍の概略斜視図である。
【図６】本発明の実施の形態における原稿読取装置の配線基板近傍の模式図である。
【図７】本発明の実施の形態における原稿読取装置におけるＦＦＣの折り曲げ形状を示す斜視図である。
【図８】第１変形例に係る原稿読取装置の配線基板近傍の模式図である。
【図９】第２変形例に係る原稿読取装置の第１キャリッジの第１摺動端部近傍の概略斜視図である。
【図１０】第２変形例に係る原稿読取装置の配線基板近傍の模式図である。
【図１１】第３変形例に係る原稿読取装置の配線基板近傍の模式図である。
【発明を実施するための形態】
【００２３】
以下、本発明の実施の形態について、図を参照して詳細に説明する。以下に示す実施の形態は、ミラースキャン方式の原稿読取装置に本発明を適用した場合の一例を示すものである。なお、以下に示す実施の形態においては、同一のまたは共通する部分について図中同一の符号を付し、その説明は繰り返さない。
【００２４】
図１は、本発明の実施の形態における原稿読取装置の概略図であり、図２は、模式平面図である。図３は、本実施の形態における原稿読取装置の第１キャリッジに各種の構成部品が組付けられた状態を示す斜視図であり、図４は、当該第１キャリッジの斜視図である。また、図５は、本実施の形態における原稿読取装置の第１キャリッジの第１摺動端部近傍の概略斜視図であり、図６は、配線基板近傍の模式図である。まず、これら図１ないし図６を参照して本実施の形態における原稿読取装置１の概略的な構成について説明する。なお、図１ないし図６においては、理解を容易にするために、必要に応じて一部の部品の図示を省略している場合がある。
【００２５】
図１に示すように、原稿読取装置１は、筐体２およびトップガラス３を備えている。筐体２は、上面開口の箱形状を有しており、当該筐体２の上面開口を閉塞するようにトップガラス３が筐体２に組付けられている。トップガラス３の上面は、読取るべき原稿１００が載置される載置面３ａとなる。
【００２６】
図１および図２に示すように、筐体２の内部には、載置面３ａと平行な第１方向であるＸ軸方向に沿って走行可能な第１キャリッジ１０および第２キャリッジ２０が設けられている。第１キャリッジ１０および第２キャリッジ２０は、いずれも載置面３ａと平行でかつ上記第１方向（すなわちＸ軸方向）と直交する第２方向であるＹ軸方向に沿って延在している。
【００２７】
図２に示すように、第１キャリッジ１０の長手方向（すなわちＹ軸方向）の両端部には、第１摺動端部１０ａおよび第２摺動端部１０ｂが位置しており、これら第１摺動端部１０ａおよび第２摺動端部１０ｂを繋ぐようにブリッジ部１０ｃが位置している。第２キャリッジ２０の長手方向（すなわちＹ軸方向）の両端部には、第１摺動端部２０ａおよび第２摺動端部２０ｂが位置しており、これら第１摺動端部２０ａおよび第２摺動端部２０ｂを繋ぐようにブリッジ部２０ｃが位置している。
【００２８】
筐体２のＹ軸方向において相対して位置する一対の側壁の一方の内面には、第１摺動レール２ａが設けられており、一対の側壁の他方の内面には、第２摺動レール２ｂが設けられている。第１摺動レール２ａおよび第２摺動レール２ｂは、それぞれ図中に示すＺ軸方向（すなわち、Ｘ軸方向およびＹ軸方向のいずれにも直交する方向）において上下にわたって２段に設けられている。
【００２９】
上段に位置する第１摺動レール２ａおよび第２摺動レール２ｂには、それぞれ第１キャリッジ１０の第１摺動端部１０ａおよび第２摺動端部１０ｂが摺動可能に載置されており、これにより第１キャリッジ１０がＸ軸方向に沿って走行できることになる。また、下段に位置する第１摺動レール２ａおよび第２摺動レール２ｂには、それぞれ第２キャリッジ２０の第１摺動端部２０ａおよび第２摺動端部２０ｂが摺動可能に載置されており、これにより第２キャリッジ２０がＸ軸方向に沿って走行できることになる。
【００３０】
図１を参照して、第１キャリッジ１０および第２キャリッジ２０は、いずれも図示しないワイヤを介してワイヤプーリ４０に繋がれている。これにより、図示しないモータ等の駆動機構によってワイヤプーリ４０が回転駆動されることにより、第１キャリッジ１０および第２キャリッジ２０がＸ軸方向に沿って走行することになる。また、第１摺動端部１０ａ，２０ａおよび第２摺動端部１０ｂ，２０ｂには、低摩擦係数の樹脂からなるスライドシューが設けられており、第１摺動レール２ａおよび第２摺動レール２ｂには、当該スライドシューに当接する低摩擦係数の樹脂からなる被覆層が設けられている。これにより、第１キャリッジ１０および第２キャリッジ２０の円滑な走行が実現できることになる。
【００３１】
ここで、原稿の読取り時においては、第２キャリッジ２０のＸ軸方向における移動速度が、第１キャリッジ１０のＸ軸方向における移動速度の半分の速度に制限される。これにより、後述する光路の長さが、原稿の読取り時において常に一定に保たれることになる。
【００３２】
図１ないし図３に示すように、筐体２の内部には、上述した第１キャリッジ１０および第２キャリッジ２０に加えて、光源としてのＬＥＤ４と、ＬＥＤ４からの光を原稿１００に向けて反射させる反射板５と、原稿１００からの反射光を合計３回にわたって反射させる第１ないし第３反射ミラー６Ａ〜６Ｃと、原稿１００からの反射光を受光することで光電変換する撮像素子としてのイメージセンサ８と、原稿１００からの反射光をイメージセンサ８上において結像する結像レンズ系７とが設置されている。
【００３３】
ＬＥＤ４、反射板５および第１反射ミラー６Ａは、いずれも上述した第１キャリッジ１０に搭載されており、第２反射ミラー６Ｂおよび第３反射ミラー６Ｃは、いずれも上述した第２キャリッジ２０に搭載されている。一方、結像レンズ系７およびイメージセンサ８は、いずれも筐体２の底面上に配設されている。
【００３４】
反射板５および第１反射ミラー６Ａは、いずれも第１キャリッジ１０の長手方向（すなわちＹ軸方向）に沿って延在するようにブリッジ部１０ｃに配設されている。一方、ＬＥＤ４は、第１キャリッジ１０の第１摺動端部１０ａ寄りに位置する部分のブリッジ部１０ｃに配設されている。ここで、図５および図６に示すように、ＬＥＤ４は、表面実装部品からなり、配線基板１４の実装面１４ａ上に実装されている。
【００３５】
図３に示すように、ＬＥＤ４が実装された配線基板１４は、第１キャリッジ１０に立設された放熱板１３にその非実装面側が当接するように固定されており、これにより第１キャリッジ１０に組付けられている。ここで、図５および図６に示すように、配線基板１４の実装面１４ａは、第１キャリッジ１０の第２摺動端部１０ｂ側を向いており、上記第１方向（すなわちＸ軸方向）と平行でかつ上記第２方向（すなわちＹ軸方向）と直交するように配置されている。
【００３６】
図２、図３および図６に示すように、第１キャリッジ１０のブリッジ部１０ｃには、上述した反射板５および第１反射ミラー６Ａに加えて、導光部材１２がその長手方向に沿って配設されている。導光部材１２の長手方向における一端は、配線基板１４に実装されたＬＥＤ４に対向しており、これによりＬＥＤ４から出射された光は導光部材１２によって導光されて第１キャリッジ１０のブリッジ部１０ｃから載置面３ａ側に向けて照射されることになる。なお、配線基板１４と導光部材１２との間には、ＬＥＤ４を取り囲むように反射部材１２ａが設けられており、これによりＬＥＤ４から出射された光が外部に漏れ出すことなく導光部材１２に導入されることになる。
【００３７】
上記の如くの導光部材１２を用いた照射方式は、一般にライトガイド方式あるいはエッジライト方式と呼ばれるものであり、少ないＬＥＤ（本実施の形態においては１つ）を用いて原稿１００をＸ軸方向に沿った全域において照射できるものである。そのため、当該ライトガイド方式を採用した場合には、多くのＬＥＤを要するいわゆるアレイ方式に比較して、ＬＥＤが有する色むら等の個体差による影響が生じ難いといったメリットや、ＬＥＤが実装される配線基板の構成が簡素化できるメリット等が得られる。
【００３８】
ここで、図３に示すように、本実施の形態における原稿読取装置１においては、上述した反射板５、第１反射ミラー６Ａおよび導光部材１２が、樹脂製のフレームを介して一体化された照射ユニット１１として構成されており、当該照射ユニット１１が第１キャリッジ１０に係止されて固定されている。
【００３９】
より詳細には、図４に示すように、第１キャリッジ１０のブリッジ部１０ｃには、Ｘ軸方向において相対して位置するように一対の立壁部１０ｄがＹ軸方向に沿って延在して設けられており、当該一対の立壁部１０ｄには、さらに内側に向けて支持板部１０ｅがそれぞれ設けられている。当該一対の支持板部１０ｅのそれぞれには、上述した照射ユニット１１の樹脂製のフレームの底面に設けられた係止爪が挿入可能な係止孔１０ｆが設けられており、当該係止孔１０ｆに係止爪が挿入されるように照射ユニット１１を第１キャリッジ１０に押し付けた状態でこれら第１キャリッジ１０と照射ユニット１１とを相対的にスライドさせることにより、係止爪が係止孔１０ｆの周囲に係止されることで照射ユニット１１が第１キャリッジ１０に組付けられる。なお、当該係止後に、照射ユニット１１は、第１キャリッジ１０に対してネジ留めされることになる。
【００４０】
ここで、上述したように、反射板５、第１反射ミラー６Ａおよび導光部材１２を樹脂製のフレームを用いて一体化することにより、これら部品の組付位置精度を高精度に確保することが可能になるとともに、その組付作業が容易化するメリットが得られる。また、上述したように、第１キャリッジ１０のブリッジ部１０ｃに長手方向に沿って延在する一対の立壁部１０ｄを設けることにより、偏平で細長形状の第１キャリッジ１０の剛性も高まることになり、機械的強度の確保が可能となって耐久性も向上することになる。さらには、照射ユニット１１と第１キャリッジ１０との係止後においてネジ留めを行なうことにより、照射ユニット１１と第１キャリッジ１０の組付位置精度および組付作業性を高めることもできる。
【００４１】
なお、図３に示すように、照射ユニット１１のＹ軸方向における中央部には、Ｘ軸方向に沿って延在するように読取窓部１１ａが設けられている。当該読取窓部１１ａの下方には、上述した一対の支持板部１０ｅの間に形成された隙間が位置しており、当該隙間のさらに下方には、第１反射ミラー６Ａが設置されている（図２等参照）。これにより、原稿１００からの反射光を上記読取窓部１１ａを介して第１反射ミラー６Ａに導くことが可能になり、後述する光路が照射ユニット１１や第１キャリッジ１０によって遮られることが防止できる。
【００４２】
一方、図１および図２に示すように、第２反射ミラー６Ｂおよび第３反射ミラー６Ｃは、いずれも第２キャリッジ２０の長手方向（すなわちＹ軸方向）に沿って延在するようにブリッジ部１０ｃに配設されている。
【００４３】
ここで、上述したＬＥＤ４、反射板５、第１ないし第３反射ミラー６Ａ〜６Ｃ、結像レンズ系７およびイメージセンサ８が適切な位置および角度をもって設置されることにより、図１中において一点鎖線で示す如くの載置面３ａからイメージセンサ８へと至る光路が形成されることになる。具体的には、ＬＥＤ４から出射された光は、直接的にまたは反射板５で反射されて間接的に原稿１００に照射され、原稿１００からの反射光は、第１反射ミラー６Ａにて反射され、第１反射ミラー６Ａからの反射光は、第２反射ミラー６Ｂにて反射され、第２反射ミラー６Ｂからの反射光は、第３反射ミラー６Ｃにて反射され、第３反射ミラー６Ｃからの反射光は、結像レンズ系７によってイメージセンサ８上において縮小結像される。これにより、イメージセンサ８上に縮小結像された光をイメージセンサ８が受光して光電変換することにより、原稿の読取りが行なわれることになる。
【００４４】
図１および図２に示すように、筐体２の内部には、さらに電源部９が設置されている。電源部９は、ＬＥＤ４に電力を供給するための部位であり、電源回路およびコネクタ９ａが設けられた回路基板を含んでいる。当該電源部９は、上述した第１キャリッジ１０の第１摺動端部１０ａが摺動する第１摺動レール２ａの近傍の位置であってかつ筐体２の底面上に配設されている。
【００４５】
図１ないし図３、図５および図６に示すように、ＬＥＤ４と電源部９とは、ＬＥＤ４が実装された配線基板１４と、配線基板１４上に形成された配線パターン１４ｂ，１４ｃと、配線基板１４の実装面１４ａ上に実装されたコネクタ１５と、コネクタ１５および上述した電源部９に設けられたコネクタ９ａを接続する可撓性配線部材であるＦＦＣ３０とによって電気的に接続されている。
【００４６】
このうち、ＦＦＣ３０は、複数の導電線を絶縁性の被覆材によって覆った被覆電線の一種であり、厚み方向における寸法が薄く形成された長尺帯状の部材からなる。当該ＦＦＣ３０は、比較的容易に折り曲げが可能なものであり、折り曲げた際に折り目を付けることで当該折り曲げた状態が概ね安定的に維持できるものである。なお、一般にＦＦＣを折り曲げた場合にも、当該折り曲げ部に繰り返し大きな外力が作用しない限りにおいては、内部の導電線に断線が発生するおそれはない。
【００４７】
図１および図２に示すように、ＦＦＣ３０は、Ｘ軸方向に沿って這い回されており、その一端３１が配線基板１４に設けられたコネクタ１５に接続されており、その他端３２が電源部９に設けられたコネクタ９ａに接続されている。ここで、ＦＦＣ３０は、これが緊張した状態となることがないように、第１キャリッジ１０のＸ軸方向における走行範囲を考慮して十分な長さとされており、その余剰部分がＸ軸方向に沿って曲げ返されることによって弛緩部３３を有している。当該弛緩部３３は、第１キャリッジ１０から見て、電源部９が位置する側とは反対側に位置するように形成されている。
【００４８】
図３および図５に示すように、第１キャリッジ１０の第１摺動端部１０ａの近傍に位置する部分のブリッジ部１０ｃには、ガイド部１６が設けられている。当該ガイド部１６は、いわゆるアウトサート成形等によって第１キャリッジ１０に固定的に設けられた樹脂製の部材であり、爪状または略環状の形状を有している。このガイド部１６には、その内部を挿通するようにＦＦＣ３０が這い回されており、これによりＦＦＣ３０を案内する（より特定的には、ＦＦＣ３０がＸ軸方向に沿って這い回された状態を維持する）ものである。
【００４９】
ここで、上述したように、本実施の形態における原稿読取装置１においては、いわゆるライトガイド方式が採用されているため、ＬＥＤ４が実装された配線基板１４の実装面１４ａは、第１キャリッジ１０の第２摺動端部１０ｂ側を向いた状態となっている。また、配線基板１４の実装面１４ａに実装されるコネクタ１５としては、ＦＦＣ３０の挿抜の際に加わる負荷によってコネクタ１５と配線基板１４とが接続不良となってしまうことを回避するために、ＦＦＣ３０の挿入方向が実装面１４ａと直交する方向となる（すなわち、図示する如くＦＦＣ３０を挿入するための開口部１５ａが上記第２摺動端部１０ｂ側を向いた）構成のものを用いている。この場合、前述のとおり、ＦＦＣ３０の這い回し方向とコネクタ１５に対するＦＦＣ３０の挿入方向とが一致しなくなってしまい、何らかの対応が必要になる。
【００５０】
そこで、本実施の形態における原稿読取装置１にあっては、図２、図３および図６に示すように、ＦＦＣ３０のコネクタ１５に接続される上記一端３１寄りの部分においてＦＦＣ３０に折り曲げ部３４を形成することによってこの問題の解決を実現している。
【００５１】
図７は、本実施の形態における原稿読取装置におけるＦＦＣの折り曲げ形状を示す斜視図である。以下、この図７と前述の図６とを参照して、本実施の形態における原稿読取装置１におけるＦＦＣ３０の折り曲げ形状について詳細に説明する。
【００５２】
図６および図７に示すように、本実施の形態における原稿読取装置１においては、ＦＦＣ３０の一端３１が挿入されるコネクタ１５の開口部１５ａが、上記第１方向（すなわちＸ軸方向）および上記第２方向（すなわちＹ軸方向）のいずれにも直交する第３方向（すなわちＺ軸方向）に沿って延在している。
【００５３】
一方、ＦＦＣ３０のコネクタ１５に接続される一端３１寄りの部分には、ＦＦＣ３０が合計で４回折り曲げられることで形成された折り曲げ部３４が位置している。具体的には、折り曲げ部３４は、ＦＦＣ３０に設けられた折り目を境いにＦＦＣ３０同士が重なることなく屈曲することでＦＦＣ３０の延在方向が略９０°向きを変える屈曲部３４Ａ，３４Ｃと、ＦＦＣ３０に設けられた折り目を境いにＦＦＣ３０同士が平面視略直角三角形状に重なることでＦＦＣ３０の延在方向が略９０°向きを変える折返し部３４Ｂ，３４Ｄとの、合計４つの部分を有している。
【００５４】
このうち、屈曲部３４Ａ，３４Ｃにおいては、折り目がＦＦＣ３０の延在方向と略直交する方向に形成されることになり、当該折り目を境いとするＦＦＣ３０の一対の部分の厚み方向（すなわち、帯状のＦＦＣ３０の寸法が薄く形成された方向）は、互いに直交することになる。一方、折返し部３４Ｂ，３４Ｄにおいては、折り目がＦＦＣ３０の延在方向と略４５°の角度をもって斜めに形成されることになり、当該折り目を境いとするＦＦＣ３０の一対の部分の厚み方向は、互いに平行に維持されることになる。
【００５５】
ここで、これら屈曲部３４Ａ，３４Ｃおよび折返し部３４Ｂ，３４Ｄは、コネクタ１５に接続されるＦＦＣ３０の一端３１側から弛緩部３３側に向けて、屈曲部３４Ａ、折返し部３４Ｂ、屈曲部３４Ｃ、折返し部３４Ｄの順で設けられている。
【００５６】
したがって、ＦＦＣ３０は、コネクタ１５の開口部１５ａから、その厚み方向がＸ軸方向を向いた状態でＹ軸方向に沿って延在した後、屈曲部３４Ａにおいて略９０°向きを変え、屈曲部３４Ａから、その厚み方向がＹ軸方向を向いた状態でＸ軸方向に沿って延在した後、折返し部３４Ｂにおいて略９０°向きを変え、折返し部３４Ｂから、その厚み方向がＹ軸方向を向いた状態でＺ軸方向に沿って延在した後、屈曲部３４Ｃにおいて略９０°向きを変え、屈曲部３４Ｃから、その厚み方向がＺ軸方向を向いた状態でＹ軸方向に沿って延在した後、折返し部３４Ｄにおいて略９０°向きを変え、折返し部３４Ｄから、その厚み方向がＺ軸方向を向いた状態でＸ軸方向に沿って延在し、上述した弛緩部３３へと至ることになる。
【００５７】
その結果、コネクタ１５に接続された一端３１と弛緩部３３との間の部分においてＦＦＣ３０に上述した折り曲げ部３４が形成されることにより、ＦＦＣ３０の弛緩部３３に該当する部分における厚み方向が、第１キャリッジ１０の上記第１方向（すなわちＸ軸方向）に沿った走行によっても常に上記第２方向（すなわちＹ軸方向）と略直交する方向を向くことになり、ＦＦＣ３０の弛緩部３３の挙動が安定することになり、ＦＦＣ３０が第１キャリッジ１０および第２キャリッジ２０の走行を阻害したり、ＦＦＣ３０が照明光や反射光を遮ったりすることが防止できる。
【００５８】
また、上記構成を構成することにより、何ら部品点数を増加させることなく、また組付作業を何ら煩雑化させることもなく、ＬＥＤ４と電源部９との電気的な接続を実現することができる。さらには、上記構成を採用することにより、ＬＥＤ４と電源部９との電気的な接続の信頼性を確保しつつ、コネクタ１５とＦＦＣ３０との接続に要する空間の大型化させることなく、ＬＥＤ４と電源部９との電気的な接続を実現することもできる。
【００５９】
したがって、本実施の形態における原稿読取装置１とすることにより、キャリッジの走行や原稿の読取りが阻害されることなく安価にかつ小型に構成が可能な原稿読取装置とすることができる。
【００６０】
なお、上述した本実施の形態における原稿読取装置１においては、折り曲げ部３４が、ＦＦＣ３０のコネクタ１５に接続された一端３１とガイド部１６に挿通された部分との間にのみ位置している。このように構成することにより、ＦＦＣ３０の弛緩部３３の挙動がより安定することになり、ＦＦＣ３０が第１キャリッジ１０および第２キャリッジ２０の走行を阻害したり、ＦＦＣ３０が照明光や反射光を遮ったりすることが防止できる効果がさらに高まることになる。
【００６１】
また、上述した本実施の形態における原稿読取装置１において、より確実に照明光や反射光を遮らないようにするためには、図７に示す距離Ｌ（すなわち、屈曲部３４Ａよりも上記一端３１側の部分のＦＦＣ３０の長さ）を十分に小さくすることが好ましい。しかしながら、当該距離Ｌを極端に小さくした場合には、ＦＦＣ３０の一端３１をコネクタ１５に挿入することが困難になるため、当該距離Ｌは、ＦＦＣ３０をコネクタ１５に接続する際の作業性を確保しつつ可能な限り短くするとよい。
【００６２】
一方で、ＦＦＣ３０のうちの屈曲部３４Ａから弛緩部３３に至るまでの部分については、その厚み方向がＸ軸方向と直交しないように当該部分を折り曲げることが好ましい。これは、当該部分の厚み方向がＸ軸方向と直交するように折り曲げられた場合に、第１キャリッジ１０の走行に際して、当該部分が抵抗となって第１キャリッジ１０の安定した走行が阻害されてしまったり、当該部分がより遊動し易くなって断線してしまったりするおそれが生じるためであり、これを防止するためには、図６および図７に示す如くに当該部分を折り曲げることが好ましい。
【００６３】
また、上述した本実施の形態における原稿読取装置１においては、折り曲げ部３４において合計４回折り曲げることとしているが、これは、第１キャリッジ１０の第２摺動端部１０ｂから弛緩部３３までのＹ軸方向における距離が、第１キャリッジ１０の第２摺動端部１０ｂから折り曲げ部３４までのＹ軸方向における最短距離よりも長くするためである。このように、弛緩部３３をＹ軸方向に沿って可能な限り第１キャリッジ１０の第２摺動端部１０ｂから遠ざけて配置することにより、ＦＦＣ３０が照明光や反射光を遮ってしまうことを防止できる効果がより高まることになる。
【００６４】
ここで、上述したように、ＦＦＣ３０の一端３１が挿入されるコネクタ１５の開口部１５ａが、上記第１方向（すなわちＸ軸方向）および上記第２方向（すなわちＹ軸方向）のいずれにも直交する第３方向（すなわちＺ軸方向）に沿って延在している場合には、少なくともＦＦＣ３０の上記一端３１寄りの部分を２回、９０°向きが変わるように折り曲げることにより、ＦＦＣ３０の弛緩部３３に該当する部分における厚み方向が常に上記第２方向（すなわちＹ軸方向）と略直交する方向を向くようにすることができる。以下、その場合の構成例について、本実施の形態に基づいた第１変形例として例示して説明する。
【００６５】
図８は、第１変形例に係る原稿読取装置の配線基板近傍の模式図である。図８に示すように、本第１変形例においては、ＦＦＣ３０のコネクタ１５に接続される一端３１寄りの部分に、ＦＦＣ３０が合計で２回折り曲げられることで形成された折り曲げ部３５が位置している。
【００６６】
具体的には、折り曲げ部３５は、ＦＦＣ３０に設けられた折り目を境いにＦＦＣ３０同士が平面視略直角三角形状に重なることでＦＦＣ３０の延在方向が略９０°向きを変える折返し部３５Ａと、ＦＦＣ３０に設けられた折り目を境いにＦＦＣ３０同士が重なることなく屈曲することでＦＦＣ３０の延在方向が略９０°向きを変える屈曲部３５Ｂとの、合計２つの部分を有している。
【００６７】
ここで、これら折返し部３５Ａおよび屈曲部３５Ｂは、コネクタ１５に接続されるＦＦＣ３０の一端３１側から弛緩部３３側に向けて、折返し部３５Ａ、屈曲部３５Ｂの順で設けられている。
【００６８】
したがって、ＦＦＣ３０は、コネクタ１５の開口部１５ａから、その厚み方向がＸ軸方向を向いた状態でＹ軸方向に沿って延在した後、折返し部３５Ａにおいて略９０°向きを変え、折返し部３５Ａから、その厚み方向がＸ軸方向を向いた状態でＺ軸方向に沿って延在した後、屈曲部３５Ｂにおいて略９０°向きを変え、屈曲部３５Ｂから、その厚み方向がＺ軸方向を向いた状態でＸ軸方向に沿って延在し、上述した弛緩部３３へと至ることになる。
【００６９】
そのため、このようにＦＦＣ３０の上記一端３１寄りの部分を２回だけ折り曲げた場合であっても、上述した本実施の形態において説明した効果に準じた効果を得ることができ、キャリッジの走行や原稿の読取りが阻害されることなく安価にかつ小型に構成が可能な原稿読取装置とすることができる。
【００７０】
一方、ＦＦＣ３０の一端３１が挿入されるコネクタ１５の開口部１５ａを、上記第１方向（すなわちＸ軸方向）に沿って延在して設けることとしてもよい。以下、その場合の好適な構成例について、本実施の形態に基づいた第２変形例として例示して説明する。
【００７１】
図９は、第２変形例に係る原稿読取装置の第１キャリッジの第１摺動端部近傍の概略斜視図であり、図１０は、配線基板近傍の模式図である。図９および図１０に示すように、本第２変形例においては、ＦＦＣ３０の一端３１が挿入されるコネクタ１５の開口部１５ａが、上記第１方向（すなわちＸ軸方向）に沿って延在している。
【００７２】
この場合、ＦＦＣ３０のコネクタ１５に接続される一端３１寄りの部分には、ＦＦＣ３０が合計で３回折り曲げられることで形成された折り曲げ部３６が位置している。具体的には、折り曲げ部３６は、ＦＦＣ３０に設けられた折り目を境いにＦＦＣ３０同士が平面視略直角三角形状に重なることでＦＦＣ３０の延在方向が略９０°向きを変える折返し部３６Ａ〜３６Ｃの合計３つの部分を有している。
【００７３】
折返し部３６Ａ〜３６Ｃにおいては、折り目がＦＦＣ３０の延在方向と略４５°の角度をもって斜めに形成されることになり、当該折り目を境いとするＦＦＣ３０の一対の部分の厚み方向は、互いに平行に維持されることになる。
【００７４】
より詳細には、ＦＦＣ３０は、コネクタ１５の開口部１５ａから、その厚み方向がＺ軸方向を向いた状態でＹ軸方向に沿って延在した後、折返し部３６Ａにおいて略９０°向きを変え、折返し部３６Ａから、その厚み方向がＺ軸方向を向いた状態でＸ軸方向に沿って延在した後、折返し部３６Ｂにおいて略９０°向きを変え、折返し部３６Ｂから、その厚み方向がＺ軸方向を向いた状態でＹ軸方向に沿って延在した後、折返し部３６Ｃにおいて略９０°向きを変え、折返し部３６Ｃから、その厚み方向がＺ軸方向を向いた状態でＸ軸方向に沿って延在し、上述した弛緩部３３へと至ることになる。
【００７５】
その結果、コネクタ１５に接続された一端３１と弛緩部３３との間の部分においてＦＦＣ３０に上述した折り曲げ部３６が形成されることにより、ＦＦＣ３０の弛緩部３３に該当する部分における厚み方向が、第１キャリッジ１０の上記第１方向（すなわちＸ軸方向）に沿った走行によっても常に上記第２方向（すなわちＹ軸方向）と略直交する方向を向くことになり、ＦＦＣ３０の弛緩部３３の挙動が安定することになり、ＦＦＣ３０が第１キャリッジ１０および第２キャリッジ２０の走行を阻害したり、ＦＦＣ３０が照明光や反射光を遮ったりすることが防止できる。
【００７６】
したがって、このように構成した場合にも、上述した本実施の形態において説明した効果と同様の効果を得ることができ、キャリッジの走行や原稿の読取りが阻害されることなく安価にかつ小型に構成が可能な原稿読取装置とすることができる。
【００７７】
ここで、上述したように、ＦＦＣ３０の一端３１が挿入されるコネクタ１５の開口部１５ａが、上記第１方向（すなわちＸ軸方向）に沿って延在している場合には、少なくともＦＦＣ３０の上記一端３１寄りの部分を１回、９０°向きが変わるように折り曲げることにより、ＦＦＣ３０の弛緩部３３に該当する部分における厚み方向が常に上記第２方向（すなわちＹ軸方向）と略直交する方向を向くようにすることができる。以下、その場合の構成例について、本実施の形態に基づいた第３変形例として例示して説明する。
【００７８】
図１１は、第３変形例に係る原稿読取装置の配線基板近傍の模式図である。図１１に示すように、本第３変形例においては、ＦＦＣ３０のコネクタ１５に接続される一端３１寄りの部分に、ＦＦＣ３０が１回のみ折り曲げられることで形成された折り曲げ部３７が位置している。
【００７９】
具体的には、折り曲げ部３７は、ＦＦＣ３０に設けられた折り目を境いにＦＦＣ３０同士が平面視略直角三角形状に重なることでＦＦＣ３０の延在方向が略９０°向きを変える折返し部３７Ａのみを有している。
【００８０】
したがって、ＦＦＣ３０は、コネクタ１５の開口部１５ａから、その厚み方向がＺ軸方向を向いた状態でＸ軸方向に沿って延在した後、折返し部３７Ａにおいて略９０°向きを変え、折返し部３７Ａから、その厚み方向がＺ軸方向を向いた状態でＸ軸方向に沿って延在し、上述した弛緩部３３へと至ることになる。
【００８１】
そのため、このようにＦＦＣ３０の上記一端３１寄りの部分を１回のみ折り曲げた場合であっても、上述した本実施の形態において説明した効果に準じた効果を得ることができ、キャリッジの走行や原稿の読取りが阻害されることなく安価にかつ小型に構成が可能な原稿読取装置とすることができる。
【００８２】
上述した本発明の実施の形態およびその変形例においては、光源としてのＬＥＤが実装される配線基板を第１キャリッジの長手方向の一端部寄りの位置に設けた場合を例示して説明を行なったが、必ずしもそのように構成する必要はなく、配線基板の実装面が第１キャリッジの長手方向を向くように配置される限りにおいては、当該配線基板が第１キャリッジの長手方向の中央部等に配置される場合であっても、当然に本発明を適用することができる。
【００８３】
また、上述した本発明の実施の形態およびその変形例においては、可撓性配線部材の上記第１方向（すなわちＸ軸方向）に沿った這い回しをガイドするガイド部を第１キャリッジに設けた場合を例示して説明を行なったが、当該ガイド部は、必ずしも必須のものではない。ここで、ガイド部を設ける場合であっても、その設置位置や数が特に制限されるものではなく、たとえば第１キャリッジに加えて第２キャリッジにもガイド部を設けることとしてもよいし、第２キャリッジにのみガイド部を設けることとしてもよい。少なくとも第２キャリッジにガイド部を設けることとした場合には、可撓性配線部材の弛緩部の上記第２方向（すなわちＹ軸方向）に沿った移動が第２キャリッジに設けたガイド部によっても規制されることになるため、可撓性部材によって反射光が遮されてしまうことがより確実に防止できることになる。
【００８４】
また、上述した本発明の実施の形態およびその変形例においては、光源としてＬＥＤを用いた場合を例示して説明を行なったが、必ずしも光源がＬＥＤである必要はなく、光源として他の発光素子等を用いる場合であっても、当然に本発明を適用することができる。
【００８５】
また、上述した本発明の実施の形態およびその変形例においては、可撓性配線部材としてＦＦＣを用いた場合を例示して説明を行なったが、必ずしも可撓性配線部材がＦＦＣである必要はなく、可撓性配線部材として他の部材（たとえばＦＰＣ等）を用いる場合であっても、当然に本発明を適用することができる。
【００８６】
また、上述した本発明の実施の形態およびその変形例においては、いわゆるミラースキャナ方式の画像読取装置に本発明を適用した場合を例示して説明を行なったが、本発明の適用範囲はこれに限定されるものではなく、いわゆるユニットスキャン方式の画像読取装置等、光源が搭載されたキャリッジを備えてなる原稿読取装置であれば、どのようなものにも本発明の適用が可能である。
【００８７】
このように、今回開示した上記実施の形態およびその変形例はすべての点で例示であって、制限的なものではない。本発明の技術的範囲は特許請求の範囲によって画定され、また特許請求の範囲の記載と均等の意味および範囲内でのすべての変更を含むものである。
【符号の説明】
【００８８】
１  原稿読取装置、２  筐体、２ａ  第１摺動レール、２ｂ  第２摺動レール、３  トップガラス、３ａ  置面、４  ＬＥＤ、５  反射板、６Ａ  第１反射ミラー、６Ｂ  第２反射ミラー、６Ｃ  第３反射ミラー、７  結像レンズ系、８  イメージセンサ、９  電源部、９ａ  コネクタ、１０  第１キャリッジ、１０ａ  第１摺動端部、１０ｂ  第２摺動端部、１０ｃ  ブリッジ部、１０ｄ  立壁部、１０ｅ  支持板部、１０ｆ  係止孔、１１  照射ユニット、１１ａ  読取窓部、１２  導光部材、１２ａ  反射部材、１３  放熱板、１４  配線基板、１４ａ  実装面、１４ｂ，１４ｃ  配線パターン、１５  コネクタ、１５ａ  開口部、１６  ガイド部、２０  第２キャリッジ、２０ａ  第１摺動端部、２０ｂ  第２摺動端部、２０ｃ  ブリッジ部、３０  ＦＦＣ、３１  一端、３２  他端、３３  弛緩部、３４〜３７  折り曲げ部、３４Ａ，３４Ｃ，３５Ｂ  屈曲部、３４Ｂ，３４Ｄ，３５Ａ，３６Ａ〜３６Ｃ，３７Ａ  折返し部、４０  ワイヤプーリ、１００  原稿。
【図１】
0006477010.tif 000002
【図２】
0006477010.tif 000003
【図３】
0006477010.tif 000004
【図４】
0006477010.tif 000005
【図５】
0006477010.tif 000006
【図６】
0006477010.tif 000007
【図７】
0006477010.tif 000008
【図８】
0006477010.tif 000009
【図９】
0006477010.tif 000010
【図１０】
0006477010.tif 000011
【図１１】
0006477010.tif 000012